(57)【要約】【課題】効率的に電子バリューのチャージを行なうことができる電子バリューチャージ方法、電子バリューチャージシステム及び電子バリューチャージプログラムを提供する。【解決手段】改札装置１０は、プリペイドカード５０に記録されたカード情報を取得し、この仮残額と下限額とを比較する。そして、改札装置１０からの改札確認通知に下限情報が付加されている場合、カード管理会社ホストコンピュータ３０に口座振替指示を送信する。カード管理会社ホストコンピュータ３０は、口座振替依頼処理を実行し、口座振替完了カード情報通知を駅サーバ２０に配信する。再度、改札確認通知を受信した駅サーバ２０の制御部２１は、カード情報確認処理を実行し、駅サーバ２０の制御部２１は、改札装置１０に対して、振替金額に相当するチャージ指示を含めた改札指示を送信する。【選択図】図１
2007207006.tif 000002
【特許請求の範囲】
【請求項１】
拠点毎に設置され、媒体識別子及び電子バリューの残高が記録された記録媒体のリード／ライト手段に接続された拠点装置と、
複数の拠点装置に接続され、媒体識別子毎に引落口座に関する情報を記録した利用者情報部を備えた電子バリュー管理サーバを有するシステムを用いて、記録媒体の電子バリューをチャージする方法であって、
前記リード／ライト手段が利用者の記録媒体を検知した場合、前記拠点装置が、前記記録媒体から残高に関する情報を取得する段階と、
前記残高が基準値以下である場合、前記拠点装置が前記電子バリュー管理サーバに、媒体識別子に関する情報を含む下限通知を送信する段階と、
前記電子バリュー管理サーバが、下限通知に基づいて引落口座を特定して金融機関システムに対して口座振替依頼を送信する段階と、
この口座振替依頼に対する口座振替結果を受信した場合、各拠点装置に口座振替結果を配信する段階と、
前記拠点装置が、前記口座振替結果に基づいて、媒体識別子毎にチャージ情報を保持し、
前記リード／ライト手段において、再度、利用者の記録媒体を検知した場合、前記口座振替結果に基づいて、前記記録媒体に格納された電子バリューの残高の更新を行なう段階と
を実行することを特徴とする電子バリューチャージ方法。
【請求項２】
前記拠点装置が、前記口座振替結果に基づいて、前記記録媒体に格納された電子バリューの残高の更新を行なった場合、前記拠点装置が前記電子バリュー管理サーバに、媒体識別子に関する情報を含むチャージ通知を送信する段階と、
前記電子バリュー管理サーバが、チャージ通知に含まれる媒体識別子に基づいて各拠点装置に保持されたチャージ情報の削除指示を配信する段階とをさらに実行することを特徴とする請求項１に記載の電子バリューチャージ方法。
【請求項３】
前記記録媒体には、下限に関する基準値の情報を保持させ、
前記リード／ライト手段が記録媒体を検知した場合、前記記録媒体から前記拠点装置が下限に関する基準値の情報を取得する段階を更に実行することを特徴とする請求項１又は２に記載の電子バリューチャージ方法。
【請求項４】
拠点毎に設置され、媒体識別子及び電子バリューの残高が記録された記録媒体のリード／ライト手段に接続された拠点装置と、
複数の拠点装置に接続され、媒体識別子毎に引落口座に関する情報を記録した利用者情報部を備えた電子バリュー管理サーバを有し、記録媒体の電子バリューをチャージするシステムであって、
前記リード／ライト手段が利用者の記録媒体を検知した場合、前記拠点装置が、前記記録媒体から残高に関する情報を取得し、
前記残高が基準値以下である場合、前記拠点装置が前記電子バリュー管理サーバに、媒体識別子に関する情報を含む下限通知を送信し、
前記電子バリュー管理サーバが、下限通知に基づいて引落口座を特定して金融機関システムに対して口座振替依頼を送信し、
この口座振替依頼に対する口座振替結果を受信した場合、各拠点装置に口座振替結果を配信し、
前記拠点装置が、前記口座振替結果に基づいて、媒体識別子毎にチャージ情報を保持し、
前記リード／ライト手段において、再度、利用者の記録媒体を検知した場合、前記口座
振替結果に基づいて、前記記録媒体に格納された電子バリューの残高の更新を行なうことを特徴とする電子バリューチャージシステム。
【請求項５】
前記拠点装置が、前記口座振替結果に基づいて、前記記録媒体に格納された電子バリューの残高の更新を行なった場合、前記拠点装置が前記電子バリュー管理サーバに、媒体識別子に関する情報を含むチャージ通知を送信し、
前記電子バリュー管理サーバが、チャージ通知に含まれる媒体識別子に基づいて各拠点装置に保持されたチャージ情報の削除指示を配信することを特徴とする請求項４に記載の電子バリューチャージシステム。
【請求項６】
前記記録媒体には、下限に関する基準値の情報を保持させ、
前記リード／ライト手段が記録媒体を検知した場合、前記記録媒体から前記拠点装置が下限に関する基準値の情報を取得することを特徴とする請求項４又は５に記載の電子バリューチャージシステム。
【請求項７】
拠点毎に設置され、媒体識別子及び電子バリューの残高が記録された記録媒体のリード／ライト手段に接続された拠点装置と、
複数の拠点装置に接続され、媒体識別子毎に引落口座に関する情報を記録した利用者情報部を備えた電子バリュー管理サーバを有するシステムを用いて、記録媒体の電子バリューをチャージするプログラムであって、
前記電子バリュー管理サーバを、
前記拠点装置のリード／ライト手段が利用者の記録媒体を検知し、前記記録媒体に格納された残高が基準値以下である場合、前記拠点装置から、媒体識別子に関する情報を含む下限通知を受信する手段と、
下限通知に基づいて引落口座を特定して金融機関システムに対して口座振替依頼を送信する手段と、
この口座振替依頼に対する口座振替結果を受信した場合、各拠点装置に口座振替結果を配信する手段として機能させ、
前記拠点装置において、前記口座振替結果に基づいて、媒体識別子毎にチャージ情報を記録させ、前記リード／ライト手段において、再度、利用者の記録媒体を検知した場合、前記口座振替結果に基づいて、前記記録媒体に格納された電子バリューの残高を更新させることを特徴とする電子バリューチャージプログラム。
【発明の詳細な説明】
【技術分野】
【０００１】
本発明は、電子バリュー記録媒体に対してチャージを行なうための電子バリューチャージ方法、電子バリューチャージシステム及び電子バリューチャージプログラムに関する。
【背景技術】
【０００２】
今日、プリペイド残高や電子マネー等の電子バリューを使用して決済を行なうシステムが構築されている。ここで、プリペイド方式は前払いにより蓄積された残高を減算する方式であり、電子バリューとは貨幣価値をデジタルデータに置き換えたものである。このような電子バリューを、ＩＣチップを埋め込んだプラスチック製のカード（ＩＣカード）のような記録媒体に格納し利用するシステムが検討されている。
【０００３】
例えば、ＩＣカードを電子バリューの記録媒体として用いる場合、ＩＣカードリード／ライト装置を用いてＩＣカード中の電子バリューを読み書きして、商品購入やサービス提供等の決済を行なう。すなわち、支払を行なう場合には、ＩＣカードリード／ライト装置によりＩＣカードから料金に相当する電子バリューを取り出し、サービス提供者に移転させる。このようなＩＣカードに格納された電子バリュー残高が少なくなった場合には、特定の装置を利用して電子バリューの補充を行なう必要がある。
【０００４】
また、電子バリューの格納に用いる記録媒体には、上述したＩＣカードのような接触型記録媒体の他に、無線通信機能を備えたモバイル端末に記憶手段を設ける非接触型記録媒体もある。そして、それぞれの記録媒体の特性を活かした技術が提案されている（例えば、特許文献１参照。）。ここでは、例えば、接触型ＩＣカードの残高が十分に存在するにもかかわらず、非接触型ＩＣカードの残高がなくなる状況を想定する。この特許文献１では、接触型ＩＣカードに格納された電子バリューと、非接触型ＩＣカードに格納された電子バリューとを相互に転送する技術が開示されている。これにより、両カードの利便性を損なうことなく、電子バリューを利用することができる。
【０００５】
しかし、利用者が電子バリューを用いて代金を支払う場合、支払う直前になって初めて残高が不足していることに気が付くことがある。このような状況下では、迅速に支払を行なうことができなかった。特に、電子バリューは、現金や紙幣等と異なり、無体物（データ）であるため、記録媒体に格納されている電子バリューの残高を把握し難いことが多い。そのため、残高不足に気が付くのが遅れることもある。
【０００６】
そこで、モバイル端末に格納された電子バリューの補充を効率的に行なうことができる電子バリュー管理方法及び電子バリュー管理プログラムも提供されている（例えば、特許文献２参照。）。ここでは、携帯電話端末にチェック時刻、最高残高、最低残高、引落口座識別子に関するデータを記録する。そして、携帯電話端末の制御部はチェック時刻にバリュー残高を算出し、最低残高以下になっている場合には、電子バリューの補充依頼を金融機関システムに送信する。金融機関システムは、利用者口座から補充金額を引き落とし、電子バリュー発行システムに補充指示を送信する。このような処理を口座振替により実行することが可能である。携帯電話端末への電子バリューの補充が完了した場合、電子バリュー発行システムは、補充完了通知を金融機関システムに送信する。そして、金融機関システムは補充金額を電子バリュー発行機関の口座に振り込むための処理を行なう。
【特許文献１】特開２００２−２４７２２号公報（第１〜３頁）
【特許文献２】特開２００５−２５６１８号公報（図１）
【発明の開示】
【発明が解決しようとする課題】
【０００７】
上述のような電子バリューの補充方法では、携帯電話端末のように遠隔地においても通信を維持できる機能が必要である。しかし、電子バリューの格納媒体にはＩＣカードのように、常時、通信ができる状態にない記録媒体も含まれる。例えば、買い物をする場合や、乗車券のプリペイドカードとして利用する場合には、ＩＣカードに蓄積された電子バリューを用いることがある。このようなＩＣカードとリード／ライト装置との間においても無線通信は行なわれるが、通信可能範囲は狭く、また１回の無線通信の所要時間は数秒程度である。一方、口座振替を利用する場合には、口座振替依頼の送信、口座引落、入金、口座振替結果の返信と複数のプロセスから構成されているために、それなりの処理時間が必要である。従って、通常利用の中で、口座振替を利用したチャージを行なうことは困難であり、チャージのための装置を設け、利用者はチャージのための手続を別途、行なう必要があった。これでは、利用者の利便性を図ることができない。
【０００８】
本発明は、上記課題を解決するためになされたものであり、その目的は、効率的に電子バリューのチャージを行なうことができる電子バリューチャージ方法、電子バリューチャージシステム及び電子バリューチャージプログラムを提供することにある。
【課題を解決するための手段】
【０００９】
上記問題点を解決するために、請求項１に記載の発明は、拠点毎に設置され、媒体識別子及び電子バリューの残高が記録された記録媒体のリード／ライト手段に接続された拠点装置と、複数の拠点装置に接続され、媒体識別子毎に引落口座に関する情報を記録した利用者情報部を備えた電子バリュー管理サーバを有するシステムを用いて、記録媒体の電子バリューをチャージする方法であって、前記リード／ライト手段が利用者の記録媒体を検知した場合、前記拠点装置が、前記記録媒体から残高に関する情報を取得する段階と、前記残高が基準値以下である場合、前記拠点装置が前記電子バリュー管理サーバに、媒体識別子に関する情報を含む下限通知を送信する段階と、前記電子バリュー管理サーバが、下限通知に基づいて引落口座を特定して金融機関システムに対して口座振替依頼を送信する段階と、この口座振替依頼に対する口座振替結果を受信した場合、各拠点装置に口座振替結果を配信する段階と、前記拠点装置が、前記口座振替結果に基づいて、媒体識別子毎にチャージ情報を保持し、前記リード／ライト手段において、再度、利用者の記録媒体を検知した場合、前記口座振替結果に基づいて、前記記録媒体に格納された電子バリューの残高の更新を行なう段階とを実行することを要旨とする。
【００１０】
請求項２に記載の発明は、請求項１に記載の電子バリューチャージ方法において、前記拠点装置が、前記口座振替結果に基づいて、前記記録媒体に格納された電子バリューの残高の更新を行なった場合、前記拠点装置が前記電子バリュー管理サーバに、媒体識別子に関する情報を含むチャージ通知を送信する段階と、前記電子バリュー管理サーバが、チャージ通知に含まれる媒体識別子に基づいて各拠点装置に保持されたチャージ情報の削除指示を配信する段階とをさらに実行することを要旨とする。
【００１１】
請求項３に記載の発明は、請求項１又は２に記載の電子バリューチャージ方法において、前記記録媒体には、下限に関する基準値の情報を保持させ、前記リード／ライト手段が記録媒体を検知した場合、前記記録媒体から前記拠点装置が下限に関する基準値の情報を取得する段階を更に実行することを要旨とする。
【００１２】
請求項４に記載の発明は、拠点毎に設置され、媒体識別子及び電子バリューの残高が記録された記録媒体のリード／ライト手段に接続された拠点装置と、複数の拠点装置に接続され、媒体識別子毎に引落口座に関する情報を記録した利用者情報部を備えた電子バリュー管理サーバを有し、記録媒体の電子バリューをチャージするシステムであって、前記リ
ード／ライト手段が利用者の記録媒体を検知した場合、前記拠点装置が、前記記録媒体から残高に関する情報を取得し、前記残高が基準値以下である場合、前記拠点装置が前記電子バリュー管理サーバに、媒体識別子に関する情報を含む下限通知を送信し、前記電子バリュー管理サーバが、下限通知に基づいて引落口座を特定して金融機関システムに対して口座振替依頼を送信し、この口座振替依頼に対する口座振替結果を受信した場合、各拠点装置に口座振替結果を配信し、前記拠点装置が、前記口座振替結果に基づいて、媒体識別子毎にチャージ情報を保持し、前記リード／ライト手段において、再度、利用者の記録媒体を検知した場合、前記口座振替結果に基づいて、前記記録媒体に格納された電子バリューの残高の更新を行なうことを要旨とする。
【００１３】
請求項５に記載の発明は、請求項４に記載の電子バリューチャージシステムにおいて、前記拠点装置が、前記口座振替結果に基づいて、前記記録媒体に格納された電子バリューの残高の更新を行なった場合、前記拠点装置が前記電子バリュー管理サーバに、媒体識別子に関する情報を含むチャージ通知を送信し、前記電子バリュー管理サーバが、チャージ通知に含まれる媒体識別子に基づいて各拠点装置に保持されたチャージ情報の削除指示を配信することを要旨とする。
【００１４】
請求項６に記載の発明は、請求項４又は５に記載の電子バリューチャージシステムにおいて、前記記録媒体には、下限に関する基準値の情報を保持させ、前記リード／ライト手段が記録媒体を検知した場合、前記記録媒体から前記拠点装置が下限に関する基準値の情報を取得することを要旨とする。
【００１５】
請求項７に記載の発明は、拠点毎に設置され、媒体識別子及び電子バリューの残高が記録された記録媒体のリード／ライト手段に接続された拠点装置と、複数の拠点装置に接続され、媒体識別子毎に引落口座に関する情報を記録した利用者情報部を備えた電子バリュー管理サーバを有するシステムを用いて、記録媒体の電子バリューをチャージするプログラムであって、前記電子バリュー管理サーバを、前記拠点装置のリード／ライト手段が利用者の記録媒体を検知し、前記記録媒体に格納された残高が基準値以下である場合、前記拠点装置から、媒体識別子に関する情報を含む下限通知を受信する手段と、下限通知に基づいて引落口座を特定して金融機関システムに対して口座振替依頼を送信する手段と、この口座振替依頼に対する口座振替結果を受信した場合、各拠点装置に口座振替結果を配信する手段として機能させ、前記拠点装置において、前記口座振替結果に基づいて、媒体識別子毎にチャージ情報を記録させ、前記リード／ライト手段において、再度、利用者の記録媒体を検知した場合、前記口座振替結果に基づいて、前記記録媒体に格納された電子バリューの残高を更新させることを要旨とする。
【００１６】
（作用）
請求項１、４又は７に記載の発明によれば、拠点装置が取得した記録媒体の残高が基準値以下である場合、電子バリュー管理サーバに媒体識別子に関する情報を含む下限通知を送信する。これを、金融機関システムに対して口座振替依頼を送信するためのトリガとする。そして、この口座振替依頼に対する口座振替結果を受信した場合、各拠点装置に口座振替結果を配信し、再度、利用者の記録媒体を検知した場合、口座振替結果に基づいて、記録媒体に格納された電子バリューの残高の更新を行なう。口座振替依頼のトリガのタイミングと、電子バリューの残高の更新のタイミングとを分けることにより、利用者を待たせることなく、電子バリューを効率的にチャージすることができる。これにより、利用者の利便性を向上することができる。
【００１７】
請求項２又は５に記載の発明によれば、口座振替結果に基づいて、記録媒体に格納された電子バリューの残高の更新を行なった場合、拠点装置が電子バリュー管理サーバに、媒体識別子に関する情報を含むチャージ通知を送信する。そして、電子バリュー管理サーバ
が、チャージ通知に含まれる媒体識別子に基づいて各拠点装置にチャージ情報の削除指示を配信する。これにより、他の拠点装置における２重のチャージを防止することができる。
【００１８】
請求項３又は６に記載の発明によれば、記録媒体には、下限に関する基準値の情報を保持させる。そして、拠点装置が記録媒体から下限に関する基準値の情報を取得する。このため、記録媒体毎に下限値を設定することができ、これに基づいて下限通知を行なうことができる。
【発明の効果】
【００１９】
本発明によれば、効率的に電子バリューのチャージを行なうことができる。
【発明を実施するための最良の形態】
【００２０】
以下、本発明を具体化した一実施形態を、図１〜５に従って説明する。本実施形態では、運賃を支払うための記録媒体としてのプリペイドカードの残高をチャージする場合に用いる電子バリューチャージ方法、電子バリューチャージシステム及び電子バリューチャージプログラムとして説明する。本実施形態では、図１に示すように改札口毎に、リード／ライト手段としてのカードリーダーライターを有する改札装置１０が備えられている。そして、各駅に設置された改札装置１０は、その駅の駅サーバ２０に接続される。この改札装置１０と駅サーバ２０とが拠点装置として機能する。更に、駅サーバ２０は、ネットワークを介して、電子バリュー管理サーバとしてのカード管理会社ホストコンピュータ３０に接続される。本実施形態では、改札装置１０、駅サーバ２０、カード管理会社ホストコンピュータ３０が、電子バリューチャージシステムとして機能する。そして、カード管理会社ホストコンピュータ３０は、ネットワークを介して金融機関ホストコンピュータ４０に接続される。
【００２１】
このようなシステムにおいて、改札装置１０は、図１に示す利用者のプリペイドカード５０に記録されたデータを読み取る。このようなプリペイドカード５０では、料金を前払いすることにより、電子バリューとしての利用可能残高がチャージされる。そして、乗車時に、プリペイドカード５０の利用可能残高から基本料金を差し引く。そして、降車時には、運賃から基本料金を差し引いた差額を、プリペイドカードの利用可能残高から更に差し引く。本実施形態では、Ａ駅において乗車し、Ｂ駅において降車する場合を想定する。
【００２２】
本実施形態では、プリペイドカード５０を非接触型のＩＣカードを用いて構成する。このプリペイドカード５０はＩＣチップが貼付されており、このＩＣチップは図２に示すようにメモリ５２を備えている。そして、プリペイドカード５０を改札装置１０のカードリーダーライターにかざすと、プリペイドカード５０と改札装置１０との間で所定の周波数により無線通信が行なわれる。すなわち、改札装置１０のカードリーダーライターは、所定の範囲内に、プリペイドカード５０を検知した場合、メモリ５２に記録されたデータを取得する。
【００２３】
このメモリ５２には、媒体識別子としてのカード識別子、残高、下限額に関するデータが記録される。カード識別子に関するデータはカード製造時に記録され、残高、下限額に関するデータはプリペイドカード５０の発行時に記録される。そして、残高は、プリペイドカード５０を利用した場合やチャージされた場合に更新記録される。
【００２４】
このカード識別子データ領域には、プリペイドカード５０をユニークに特定するための識別子に関するデータが記録される。
残高データ領域には、前払いにより、プリペイドカード５０を用いて利用することができる金額、すなわち電子バリューに関するデータが記録される。本実施形態では、後述す
るように、口座振替により前払いが行なわれる。
【００２５】
下限額データ記憶領域には、利用者が、このプリペイドカード５０に保持させておきたい最低金額に関するデータを記録される。この下限額は下限通知を行なうための判断の基準値として機能し、本実施形態では利用者によって設定される。
なお、このメモリ５２には、乗車時には、運賃を算出するために乗車駅を特定するためのデータも記録される。
【００２６】
そして、改札装置１０の通信手段は、取得したデータを各駅に設置された駅サーバ２０に送信する。この駅サーバ２０は、それぞれ制御部２１及びカード情報記憶部２２を備える。そして、制御部２１は、プリペイドカード５０に関するデータ処理を実行する。制御部２１は、図示しないＣＰＵ等の制御手段、ＲＡＭ及びＲＯＭ等のメモリを有し、後述する処理（残高情報を取得する段階、下限通知を送信する段階、チャージ情報を保持する段階、電子バリューの残高更新を行なう段階等を含む処理）を行なう。このための電子バリューチャージプログラムを実行することにより、制御部２１は、残高情報を取得する手段、下限通知を送信する手段、チャージ情報を保持する手段、電子バリューの残高更新を行なう手段等として機能する。
【００２７】
具体的には、改札装置１０は、利用できないプリペイドカード５０のカード識別子を検知した場合には、改札装置１０に対して改札拒否指示を送信し、ゲートを閉じて利用を拒否する。一方、利用可能なプリペイドカード５０の場合には、改札装置１０に対して通行許可指示を送信し、ゲートを開けて所定の料金を差し引く。また、プリペイドカード５０に関する口座振替を完了している場合には、改札装置１０に対してプリペイドカード５０のチャージ指示を送信する。以上の処理は、後述するようにカード情報記憶部２２に記録されたデータを用いて実行される。
【００２８】
駅サーバ２０は、利用者情報部としてのカード情報記憶部２２を備える。このカード情報記憶部２２には、図３に示すように、利用者に提供されたプリペイドカード５０に関するカード管理データ２２０が記録される。このカード管理データ２２０は、カード管理会社ホストコンピュータや改札装置からのデータの受信に基づいて、特殊な取扱を行なうプリペイドカード５０に対するカード処理を決定するために記録される。カード管理データ２２０は、カード識別子及び取扱フラグに関するデータを含んで構成される。
【００２９】
このカード識別子データ領域には、プリペイドカード５０を特定するための識別子に関するデータが記録される。
取扱フラグデータ領域には、プリペイドカード５０に関して通常とは異なる取扱を特定するための識別子に関するデータが記録される。例えば、紛失したカードや、盗難に遭ったカード等、利用できないカードを特定するために利用不可フラグが記録される。このような場合には、カード管理会社は、利用者の申請に基づいて、利用を許可すべきでないプリペイドカード５０のカード識別子を特定する。そして、カード管理会社ホストシステムを利用して、各駅の駅サーバ２０に利用不可カード通知を配信する。この利用不可カード情報通知は、利用を許可すべきでないプリペイドカード５０のカード識別子と利用不可フラグに関するデータを含む。この不可カード情報を受信した駅サーバ２０は、このカード識別子に関連付けて利用不可フラグを含めたカード管理データ２２０をカード情報記憶部２２に登録する。
【００３０】
更に、後述するように、カード管理会社ホストコンピュータ３０が、チャージのための口座振替処理を完了した場合には、口座振替完了カード情報通知を配信する。この口座振替完了カード情報通知は、口座振替を完了したプリペイドカード５０のカード識別子と振替完了フラグに関するデータを含む。この口座振替完了カード情報通知を受信した駅サー
バ２０は、このカード識別子に関連付けて、チャージ情報としての振替完了フラグを含めたカード管理データ２２０をカード情報記憶部２２に登録する。この振替完了フラグに関するデータには、口座振替を行なった金額に関するデータを含む。
【００３１】
駅サーバ２０にネットワークを介して接続されるカード管理会社ホストコンピュータ３０は、図示しないＣＰＵ等の制御手段、ＲＡＭ及びＲＯＭ等のメモリを有し、後述する処理（金融機関システムに対して口座振替依頼を送信する段階、各拠点装置に口座振替結果を配信する段階等を含む処理）を行なう。このため、カード管理会社ホストコンピュータ３０は、金融機関システムに対して口座振替依頼を送信する段階、各拠点装置に口座振替結果を配信する手段等として機能する。
【００３２】
更に、このカード管理会社ホストコンピュータ３０は、利用者情報記憶部３２を備える。この利用者情報記憶部３２には、図４に示すように、プリペイドカード５０の利用者に関する利用者管理データ３２０が記録されている。この利用者管理データ３２０は、利用者に対して提供するプリペイドカード５０の利用登録を行なった場合に設定される。本実施形態では、利用者管理データ３２０は、カード識別子、利用者識別子、利用者口座、振替金額、振替ステータスに関するデータを含んで構成される。
【００３３】
このカード識別子データ領域には、利用者に提供したプリペイドカード５０を特定するための識別子に関するデータが記録される。
利用者識別子データ領域には、プリペイドカード５０を提供した利用者を特定するための識別子に関するデータが記録される。この利用者識別子を利用することにより、他のデータ記憶部（例えば利用者個人情報記憶部）に登録された利用者の名前、住所や連絡先等の各種属性に関するデータを取得することができる。
【００３４】
利用者口座データ記憶領域には、この利用者のプリペイドカード５０をチャージするために口座振替を行なう場合に用いる引落口座に関するデータが記録される。本実施形態では、預金口座識別子は、銀行コード、本支店コード、預金種目コード及び口座番号に関するデータを含んで構成される。
【００３５】
振替金額データ領域には、プリペイドカード５０をチャージするための口座振替において、１回毎に引き落とす金額に関するデータが記録される。
振替ステータスデータ領域には、預金口座の振替処理の状況を示すステータスデータが記録される。
【００３６】
カード管理会社ホストコンピュータ３０にネットワークを介して接続された金融機関ホストコンピュータ４０は、開設された預金口座に関するデータを管理する。このために、金融機関ホストコンピュータ４０は口座情報記憶部を備える。口座情報記憶部には、口座管理データが記録されている。この口座管理データには、各預金口座の口座識別子毎に、口座名義人の顧客識別子や残高等に関する情報が記録される。
【００３７】
上記のように構成されたシステムを用いて、プリペイドカード５０の利用に関する処理手順を、図５に従って説明する。ここでは、Ａ駅で乗車し、Ｂ駅で降車する場合を想定する。この場合、それぞれ駅（Ａ、Ｂ）に設置された改札装置１０を利用する。
【００３８】
（チャージのトリガ処理）
まず、利用者はＡ駅から乗車する場合、この駅の改札装置１０のカードリーダーライターにプリペイドカード５０をかざす。この場合、改札装置１０の制御部は、無線によりプリペイドカード５０を検知する。そして、改札装置１０のカードリーダーライターはプリペイドカード５０と無線通信を行ない、改札装置１０の制御部は、プリペイドカード５０
のメモリ５２に記録されたカード情報を取得する（ステップＳ１−１）。このカード情報には、プリペイドカード５０のメモリ５２に記録されたカード識別子、下限額と、残高に関するデータを含む。
【００３９】
乗車時には、カード情報を取得した改札装置１０の制御部は、先ず、カード情報に含まれる残高から基本料金を差し引いた仮残額を算出する。そして、改札装置１０の制御部は、この仮残額と下限額とを比較する（ステップＳ１−２）。ここで、仮残額が下限金額以下の場合（ステップＳ１−２において「ＹＥＳ」の場合）、改札装置１０の制御部は、駅サーバ２０に送信する改札確認通知に下限情報を付加する（ステップＳ１−３）。なお、仮残額が下限金額より高い場合（ステップＳ１−２において「ＮＯ」の場合）には、この下限情報の付加を省略する。
【００４０】
そして、改札装置１０制御部は、改札確認通知を、この駅の駅サーバ２０に送信する（ステップＳ１−４）。この改札確認通知には、カードリーダーライターにおいて取得したカード識別子に関するデータを含める。更に、上述のように差引金額が下限金額以下の場合には、改札確認通知に下限情報が含まれて、下限通知として機能する。
【００４１】
改札確認通知を受信した駅サーバ２０の制御部２１は、カード情報確認処理を実行する（ステップＳ２−１）。具体的には、制御部２１は、改札確認通知に含まれるカード識別子が記録されたカード管理データ２２０がカード情報記憶部２２に登録されていないかどうかを確認する。ここで、改札確認通知に含まれるカード識別子に対して利用不可フラグが記録されたカード管理データ２２０が登録されている場合、制御部２１は、改札装置１０に対して改札拒否指示を送信する。この改札拒否指示を受信した改札装置１０は、ゲートを閉じてプリペイドカード５０の利用を拒否する。
【００４２】
なお、改札確認通知に含まれるカード識別子に対して振替完了フラグが記録されたカード管理データ２２０が登録されている場合の処理については後述する。
ここでは、このカード識別子に関するカード管理データ２２０が登録されていない場合を想定する。
【００４３】
次に、駅サーバ２０の制御部２１は、改札確認通知に下限情報が付加されているかどうかを確認する（ステップＳ２−２）。ここで、改札確認通知に下限情報が付加されていない場合（ステップＳ２−２において「ＮＯ」の場合）、駅サーバ２０はプリペイドカード５０の残高が下限金額以下にならないことを把握することができる。そこで、駅サーバ２０の制御部２１は、改札指示を改札装置１０に送信する（ステップＳ２−７）。
【００４４】
一方、改札確認通知に下限情報が付加されている場合（ステップＳ２−２において「ＹＥＳ」の場合）、駅サーバ２０はプリペイドカード５０の残高が下限金額以下になることを把握することができる。ここでは、口座振替完了フラグを含めたカード管理データ２２０がカード情報記憶部２２に登録されている場合と、登録されていない場合とで処理が異なる（ステップＳ２−３）。
【００４５】
ここでは、初めてプリペイドカード５０の残高が下限金額以下になり、改札確認通知に下限情報が付加された場合を想定する。この場合には、口座振替完了フラグを含めたカード管理データ２２０はカード情報記憶部２２に登録されていないことになる。この場合（ステップＳ２−３において「ＮＯ」の場合）、駅サーバ２０の制御部２１は、カード管理会社ホストコンピュータ３０に対して口座振替指示を送信する（ステップＳ２−４）。この口座振替指示には、プリペイドカード５０のメモリ５２から取得したカード識別子に関するデータを含める。
【００４６】
そして、駅サーバ２０の制御部２１は、改札指示を改札装置１０に送信する（ステップＳ２−７）。この改札指示を受信した改札装置１０の制御部は、改札制御を行なう（ステップＳ１−５）。具体的には、改札装置１０の制御部は、プリペイドカード５０に対応する残高から基本料金を差し引いた仮残額を算出する。この仮残額が負値になる場合には、ゲートを閉じて通行を拒否する。一方、この仮残額が正値になる場合には、改札装置１０はカードリーダーライターを介して仮残額を残高としてプリペイドカード５０のメモリ５２に書き込む。更に、カードリーダーライターを介して乗車時には乗車駅を特定するためのデータをプリペイドカード５０のメモリ５２に書き込む。そして、ゲートを開けて通行を許可する。これにより、利用者はＡ駅の改札を通過することができる。
【００４７】
一方、ステップＳ２−４において駅サーバ２０から口座振替指示を受信したカード管理会社ホストコンピュータ３０は、口座振替依頼処理を実行する（ステップＳ３−１）。具体的には、カード管理会社ホストコンピュータ３０は、口座振替指示に含まれるカード識別子を含む利用者管理データ３２０を利用者情報記憶部３２から抽出する。そして、抽出した利用者管理データ３２０により、利用者口座及び振替金額を特定する。
【００４８】
次に、カード管理会社ホストコンピュータ３０は、この振替金額を、利用者口座からカード管理会社の口座に振り込むための口座振替依頼データを生成する。そして、カード管理会社ホストコンピュータ３０は、この口座振替依頼データを金融機関ホストコンピュータ４０に送信する。この口座振替依頼データには、引落口座（利用者口座）、引落金額（振替金額）、振替先口座（カード管理会社の口座）を特定するためのデータを含む。
【００４９】
この口座振替依頼データを受信した金融機関ホストコンピュータ４０は、引落口座から振替先口座への口座振替処理を実行する（ステップＳ４−１）。そして、金融機関ホストコンピュータ４０は、この口座振替処理の結果（口座振替結果データ）をカード管理会社ホストコンピュータ３０に返信する（ステップＳ４−２）。この口座振替結果データは、引落口座（利用者口座）、引落金額（振替金額）、振替先口座（カード管理会社の口座）を特定するためのデータを含んで構成される。なお、利用者口座の口座残高が不足し、口座振替ができない場合には、金融機関ホストコンピュータ４０は、振替不能通知をカード管理会社ホストコンピュータ３０に返信する。更に、カード管理会社ホストコンピュータ３０から利用者に対しても、電子メールあるいは郵送等で通知するための処理を実行する。
【００５０】
口座振替結果を受信したカード管理会社ホストコンピュータ３０は、口座振替結果を利用者情報記憶部３２に記録する。そして、カード管理会社ホストコンピュータは、口座振替完了カード情報通知を駅サーバ２０に配信する（ステップＳ３−２）。この場合、カード管理会社ホストコンピュータ３０は、口座振替結果を受信した口座振込依頼の引落口座の口座識別子に基づいて、利用者管理データ３２０を特定する。そして、カード管理会社ホストコンピュータ３０は、口座振替完了カード情報通知に、この利用者管理データ３２０に記録されたカード識別子及び振替金額に関するデータを含める。この口座振替完了カード情報通知は、カード管理会社ホストコンピュータ３０に接続されているすべての駅サーバ２０に配信する。
この口座振替完了カード情報通知を受信した各駅の駅サーバ２０は、このカード識別子と振込完了フラグとを含めたカード管理データ２２０を生成し、カード情報記憶部２２に記録する。この振込完了フラグには、振替金額に関するデータを含む。
【００５１】
（プリペイドカード５０へのチャージ処理）
次に、利用者がＢ駅で降車する場合の処理を説明する。この場合も、利用者は、この駅の改札装置１０のカードリーダーライターにプリペイドカード５０をかざす。プリペイドカード５０を検知したカードリーダーライターはプリペイドカード５０と無線通信を行な
い、改札装置１０の制御部は、プリペイドカード５０のメモリ５２に記録されたカード情報を取得する（ステップＳ１−１）。このカード情報には、プリペイドカード５０のメモリ５２に記録された下限額、残高、乗車駅に関するデータを含む。
【００５２】
降車時には、カード情報を取得した改札装置１０の制御部は、乗車駅に基づいて運賃を算出し、カード情報に含まれる残高から運賃を差し引いた仮残額を算出する。そして、改札装置１０の制御部は、この仮残額と下限額とを比較する（ステップＳ１−２）。本実施形態では、ここでも、仮残額が下限金額以下になるため（ステップＳ１−２において「ＹＥＳ」）、改札装置１０の制御部は、駅サーバ２０に送信する改札確認通知に下限情報を付加する（ステップＳ１−３）。そして、改札装置１０制御部は、下限情報が含まれる改札確認通知を駅サーバ２０に送信する（ステップＳ１−４）。
【００５３】
改札確認通知を受信した駅サーバ２０の制御部２１は、カード情報確認処理を実行する（ステップＳ２−１）。具体的には、改札確認通知に含まれるカード識別子が記録されたカード管理データ２２０がカード情報記憶部２２に登録されていないかどうかを確認する。ここでは、上述したステップＳ３−２における口座振替完了カード情報通知の配信に対応して、口座振替完了フラグを含めたカード管理データ２２０がカード情報記憶部２２に登録されている。
【００５４】
口座振替完了フラグを含めたカード管理データ２２０がカード情報記憶部２２に登録されている場合（ステップＳ２−３において「ＹＥＳ」の場合）、駅サーバ２０の制御部２１は、口座振替金額を取得する（ステップＳ２−５）。本実施形態では、取扱フラグデータ領域に記録された口座振替金額に関するデータを取得する。
【００５５】
そして、まず、駅サーバ２０の制御部２１は、口座振替結果削除指示をカード管理会社ホストコンピュータ３０に送信する（ステップＳ２−６）。この口座振替結果削除指示には、改札装置１０のカードリーダーライターが検知したプリペイドカード５０のメモリ５２に記録されたカード識別子に関するデータを含める。
【００５６】
この口座振替結果削除指示を受信したカード管理会社ホストコンピュータ３０は、接続されているすべての駅サーバ２０に口座振替結果削除指示を配信する（ステップＳ３−３）。この口座振替結果削除指示には、駅サーバ２０から受信した口座振替結果削除指示のカード識別子に関するデータを含める。この口座振替結果削除指示を受信した各駅の駅サーバ２０の制御部２１は、このカード識別子について、カード情報記憶部２２に記録されたカード管理データ２２０を削除する。
【００５７】
更に、駅サーバ２０の制御部２１は、改札装置１０に対して改札指示を送信する（ステップＳ２−７）。この改札指示には、振替金額に相当するチャージ指示を含める。
この改札指示を受信した改札装置１０の制御部は、改札制御を行なう（ステップＳ１−５）。具体的には、降車駅である駅Ｂの改札装置１０の制御部は、プリペイドカード５０のメモリ５２に記録された残高に、振替金額に対応する金額を加えたチャージ残高を算出する。次に、メモリ５２に記録された乗車駅（Ａ駅）からの運賃から基本料金を差し引いた差額を算出し、この差額をチャージ残高から差し引いた残高を算出する。そして、算出した残高を改札装置１０のカードリーダーライターを介してプリペイドカード５０のメモリ５２に書き込む。これにより、利用者はＢ駅の改札を通過する。
【００５８】
本実施形態によれば、以下のような効果を得ることができる。
・  本実施形態においては、プリペイドカード５０のメモリ５２に、カード識別子、残高、下限額に関するデータを記録する。そして、乗車時には、カード情報を取得した改札装置１０の制御部は、カード情報に含まれる残高から基本料金を差し引いた仮残額を算出
し、この仮残額と下限額とを比較する（ステップＳ１−２）。そして、仮残額が下限金額以下の場合、改札装置１０の制御部は、駅サーバ２０に送信する改札確認通知に下限情報を付加する（ステップＳ１−３）。更に、駅サーバ２０の制御部２１は、カード管理会社ホストコンピュータ３０に対して口座振替指示を送信する（ステップＳ２−４）。これにより、プリペイドカード５０とカードリーダーライターとの最初の接触をチャージのためのトリガとすることができる。
【００５９】
・  本実施形態においては、駅サーバ２０にネットワークを介して接続されるカード管理会社ホストコンピュータ３０は、利用者情報記憶部３２を備える。この利用者管理データ３２０は、カード識別子、利用者識別子、利用者口座、振替金額、振替ステータスに関するデータを含んで構成される。駅サーバ２０から口座振替指示を受信したカード管理会社ホストコンピュータ３０は、口座振替依頼処理を実行する（ステップＳ３−１）。そして、口座振替結果を受信したカード管理会社ホストコンピュータ３０は、口座振替完了カード情報通知を駅サーバ２０に配信する（ステップＳ３−２）。これにより、利用者はどこで降車するか予想できない場合でも、チャージを行なうことができる。
【００６０】
更に、プリペイドカード５０とカードリーダーライターとの接触があった場合、改札装置１０の制御部は、下限情報が含まれる改札確認通知を駅サーバ２０に送信する（ステップＳ１−４）。改札確認通知を受信した駅サーバ２０の制御部２１は、カード情報確認処理を実行する（ステップＳ２−１）。そして、駅サーバ２０の制御部２１は、改札装置１０に対して改札指示を送信する（ステップＳ２−７）。この改札指示には、振替金額に相当するチャージ指示を含める。そして、この改札指示を受信した改札装置１０の制御部は、改札制御を行なう（ステップＳ１−５）。具体的には、降車駅である駅Ｂの改札装置１０の制御部は、プリペイドカード５０のメモリ５２に記録された残高に、振替金額に対応する金額を加えたチャージ残高を算出する。これにより、プリペイドカード５０とカードリーダーライターとの次の接触によりチャージを行なうことができる。口座振替を行なう場合には、金融機関システムにおいて口座振替処理を行なう必要があるが、この処理には、短時間といえどもある程度の時間を要する場合がある。特に電車の乗降の場合には、改札口を通過する短時間の中で、この処理を行なうことは困難である。本発明では、口座振替依頼のトリガのタイミングと、チャージを行なうタイミングとを分けるため、このタイミングの時間差を利用して効率良く、口座振替を実行することができる。
【００６１】
・  本実施形態においては、改札装置１０に対して、駅サーバ２０の制御部２１が、振替金額に相当するチャージ指示を含める改札指示を送信する場合（ステップＳ２−７）、同時期に口座振替結果削除指示をカード管理会社ホストコンピュータ３０に送信する（ステップＳ２−６）。この口座振替結果削除指示には、改札装置１０のカードリーダーライターが検知したプリペイドカード５０のメモリ５２に記録されたカード識別子に関するデータを含める。この口座振替結果削除指示を受信したカード管理会社ホストコンピュータ３０は、接続されているすべての駅サーバ２０に口座振替結果削除指示を配信する。この口座振替結果削除指示には、駅サーバ２０から受信した口座振替結果削除指示のカード識別子に関するデータを含める。この口座振替結果削除指示を受信した各駅の駅サーバ２０の制御部２１は、このカード識別子について、カード情報記憶部２２に記録されたカード管理データ２２０を削除する。これにより、他の駅における２重のチャージを防止することができる。
【００６２】
なお、上記各実施形態は以下のように変更してもよい。
○  上記実施形態では、プリペイドカード５０のメモリ５２には、カード識別子、残高、下限額に関するデータが記録される。この残高データ領域には、前払いにより、プリペイドカード５０を用いて利用することができる金額に関するデータが記録される。この残高を電子バリューとして用いるが、電子バリューがこれに限定されるものではなく、予め
口座振替等の金融処理により発行される電子バリューに対して適用可能である。
【００６３】
○  上記実施形態では、乗車時に口座振替指示のトリガを行ない、降車時にチャージを行なうが、このタイミングに限定されるものではない。例えば、降車時に口座振替指示のトリガを行ない、次の乗車時にチャージを行なうことも可能である。すなわち、拠点装置と記録媒体との接触において、時間間隔をおいて第１のタイミングと第２のタイミングとがあれば、第１のタイミングにおいて口座振替のトリガを行ない、第２のタイミングにおいてチャージを行なうことができる。
【００６４】
○  本実施形態においては、プリペイドカード５０のメモリ５２に、カード識別子、残高、下限額に関するデータを記録する。そして、仮残額が下限金額以下の場合、改札装置１０の制御部は、駅サーバ２０に送信する改札確認通知に下限情報を付加し（ステップＳ１−３）、駅サーバ２０の制御部２１は、カード管理会社ホストコンピュータ３０に対して口座振替指示を送信する（ステップＳ２−４）。これに代えて、所定の基準値を用いて口座振替処理を行なってもよい。この場合、改札装置１０の制御部や、駅サーバ２０の制御部２１に、口座振替依頼のトリガのための基準値に関するデータを記録させておく。この基準額を下回った場合には、駅サーバ２０からカード管理会社ホストコンピュータ３０に口座振替依頼を送信する。そして、カード管理会社ホストコンピュータ３０では、利用者情報記憶部に利用者毎に口座振替希望の有無を特定するためのデータを記録しておき、このデータを用いて自動口座振替を実行する。これにより、プリペイドカード５０のメモリ５２に記録容量の負荷の軽減を図ることができる。
【００６５】
○  上記実施形態では、カード情報記憶部２２には、利用者に提供されたプリペイドカード５０に関するカード管理データ２２０が記録される。カード管理データ２２０は、カード識別子及び取扱フラグに関するデータを含んで構成される。口座振替完了カード情報通知を受信した駅サーバ２０は、このカード識別子に関連付けて、チャージ情報としての振替完了フラグを含めたカード管理データ２２０をカード情報記憶部２２に登録する。この振替完了フラグを含めたカード管理データ２２０に基づいてプリペイドカード５０へのチャージ処理を行なう。これに代えて、或いは併用して、プリペイドカード５０へのチャージ処理において、プリペイドカード５０のメモリ５２に、「口座振替依頼中」や「チャージ済」等のステータスデータを記録してもよい。具体的には、改札指示チャージのトリガ処理において口座振替指示を行なった場合（ステップＳ２−４）、ステップＳ２−７において、駅サーバ２０の制御部２１から改札装置１０に送信する改札指示に「口座振替依頼中」フラグを含めておく。そして、「口座振替依頼中」フラグを含む改札指示を受信した場合、ステップＳ１−５における改札制御において、改札装置１０は、プリペイドカード５０のメモリ５２に、「口座振替依頼中」のステータスデータを記録する。
【００６６】
次に、プリペイドカード５０へのチャージ処理おいて、改札装置１０はプリペイドカード５０のメモリ５２に記録されたステータスデータを確認する。そして、ステータスデータが「口座振替依頼中」の場合のみに、残高のチャージを実行する。そして、チャージ指示を含む改札指示を受信した場合、ステップＳ１−５における改札制御において、改札装置１０は、プリペイドカード５０のメモリ５２のステータスデータを「口座振替依頼中」から「チャージ済」に更新する。
【００６７】
上記実施形態では、駅サーバ２０の制御部２１は、口座振替結果削除指示をカード管理会社ホストコンピュータ３０に送信し（ステップＳ２−６）、カード管理会社ホストコンピュータ３０は、接続されているすべての駅サーバ２０に口座振替結果削除指示を配信する（ステップＳ３−３）。例えば、駅サーバ２０とカード管理会社ホストコンピュータ３０との間の通信においてタイムラグを生じた場合等、タイミングによっては他の駅サーバ２０のカード情報記憶部２２に記録されたカード管理データ２２０が削除される前に改札
を通過することにより、２重にチャージされる可能性がある。上述のようにプリペイドカード５０のメモリ５２にステータスデータを記録し、このステータスデータの確認により、「チャージ済」のステータスデータの場合にはチャージを実行しないことにより、２重チャージを防止することができる。
【００６８】
○  上記実施形態では、カード管理会社ホストコンピュータ３０は、利用者情報記憶部３２を備える。この利用者情報記憶部３２には、プリペイドカード５０の利用者に関する利用者管理データ３２０が記録されている。本実施形態では、利用者管理データ３２０は、カード識別子、利用者識別子、利用者口座、振替金額、振替ステータスに関するデータを含んで構成される。そして、駅サーバ２０から口座振替指示を受信したカード管理会社ホストコンピュータ３０は、口座振替依頼処理を実行する（ステップＳ３−１）。具体的には、カード管理会社ホストコンピュータ３０は、口座振替指示に含まれるカード識別子を含む利用者管理データ３２０を利用者情報記憶部３２から抽出する。そして、抽出した利用者管理データ３２０により、利用者口座及び振替金額を特定する。これに代えて、振替金額を一定にすることも可能である。この場合には、利用者毎の利用者管理データ３２０に振替金額を記憶させる必要がない。
【００６９】
また、利用者管理データ３２０の振替金額の代わりに、利用者側で予め設定した入金限度を含めた利用者管理データ３２０を利用者情報記憶部３２に記憶させてもよい。この場合には、予めカード管理会社ホストコンピュータ３０は、プリペイドカード５０のメモリ５２に記録された残高を、改札装置１０、駅サーバ２０を介して取得し、その差額を算出する。そして、この差額を振替金額として振替処理を実行する。
【００７０】
○  上記実施形態では、改札装置１０が残高と下限額とを比較する。これに代えて、駅サーバ２０に判断させることも可能である。この場合には、残高と下限情報とに関する情報を駅サーバ２０の制御部２１が取得し、口座振替の要否を判断する。
【００７１】
○  上記実施形態では、乗車券に関するプリペイドカードに関する電子バリューのチャージ方法として説明したが、ＩＣカード等において電子バリューを蓄積する場合に応用することができる。
【図面の簡単な説明】
【００７２】
【図１】本発明の実施形態のシステム概略図。
【図２】プリペイドカードに記録されたデータの説明図。
【図３】カード情報記憶部に記録されたデータの説明図。
【図４】利用者情報記憶部に記録されたデータの説明図。
【図５】本実施形態の処理手順の説明図。
【符号の説明】
【００７３】
１０…改札装置、２０…駅サーバ、２１…制御部、２２…カード情報記憶部、３０…カード管理会社ホストコンピュータ、３２…利用者情報記憶部、４０…金融機関ホストコンピュータ、５０…プリペイドカード、５２…メモリ。
【図１】
2007207006.tif 000003
【図２】
2007207006.tif 000004
【図３】
2007207006.tif 000005
【図４】
2007207006.tif 000006
【図５】
2007207006.tif 000007